(57)【要約】【課題】配水管に穿孔した穴と、配水管に取り付けた分水栓の穴とに芯ズレが生じても、確実の穿孔穴に取り付けることのできる防食用コアを提供する。【解決手段】防食コア１は外側コア１３と、それに押込まれる内側コア３とで構成する。内側コアには上側筒部５と、それより径の小さい下側筒部７と、テーパ部９を設ける。外側コアは芯金１５と被覆体２３とで構成する。芯金はフランジ２１と筒部を備え、その筒部はテーパ部１７を備える。内側コアと芯金は金属製とし、内側コアの下側筒部は芯金より剛性が大きく、下側筒部で芯金を拡径することができる。また、芯金は金属製であるために、穿孔穴と分水栓の穴との芯ズレが生じていて、弾性変形することにより穿孔穴内へ挿入される。【選択図】  図１
2008144957.tif 000002
【特許請求の範囲】
【請求項１】
分水栓が取付けられた配水管に穿孔された穴に取付けられる防食コアにおいて、
円筒状の上側筒部と、該上側筒部より径の小さい円筒状の下側筒部とを備えた金属製の内側コアと、
円筒状の筒部と、該筒部上端に形成された外方フランジとを備えた金属製の芯金と、該芯金の前記筒部外周を被覆する被覆部と、該被覆部の上方に筒状に形成される上側シール部とを備えたゴム等弾性材料製の被覆体とを備えた外側コアとを含んで構成され、
前記内側コアは前記芯金の筒部より剛性が大きく、
前記内側コアを前記外側コア内へ押込むことにより、前記内側コアの上側筒部と下側筒部によりそれぞれ前記上側シール部と前記芯金の筒部を拡径し、前記上側シール部を前記分水栓の通水路内壁へ、前記筒部及び被覆部を前記穴の内壁へ圧着させることを特徴とする防食コア。
【請求項２】
請求項１記載の防食コアにおいて、前記芯金の筒部は、下方に向けて漸次縮径するテーパ部を備えていることを特徴とする、防食スリーブ。
【請求項３】
請求項２記載の防食コアにおいて、前記内側コアの前記下側筒部を前記外側コアに挿入して組み付けたとき、前記下側筒部の下端が前記芯金のテーパ部の途中の位置に当たる寸法に形成されていることを特徴とする、防食コア。
【請求項４】
請求項１乃至３のいずれか１に記載の防食コアにおいて、前記被覆体は、前記被覆部の下端から、前記芯金の下端を越えて下方へ、且つ前記芯金の内径より内側へと伸びる傾斜部をさらに備えていることを特徴とする、防食コア。
【請求項５】
請求項１乃至４のいずれか１に記載の防食コアにおいて、前記内側コアは、前記上側筒部と下側筒部との間に両者をつなぐテーパ部又は肩部が形成され、前記内側コアが前記外側コア内へ所定の長さだけ押込まれたときに、前記内側コアのテーパ部又は肩部が前記芯金のフランジに当接し、前記内側コアのそれ以上の押込みを制限するように形成されていることを特徴とする、防食コア。
【請求項６】
請求項１乃至５のいずれか１に記載の防食コアにおいて、前記内側コアは、前記上側筒部の上端に外方フランジを備え、前記内側コアが前記外側コアに所定の位置まで押込まれると、前記フランジが前記被覆体の前記上側シール部の上端に当接することを特徴とする、防食コア。
【請求項７】
請求項１乃至４のいずれか１に記載の防食コアにおいて、前記芯金のフランジは高さ方向において所定の長さを備えて形成され、該フランジは、前記内側コアの下側筒部が前記外側コアに挿入取付けされるときのガイドとなるように形成されていることを特徴とする、防食コア。
【請求項８】
請求項７記載の防食コアにおいて、前記芯金のフランジは、高さ方向において前記被覆体の上側シール部の内側まで延びており、前記内側コアが前記外側コアに押込まれたときに、前記上側筒部によって拡径され、前記分岐栓の通水路内壁へ前記上側シール部を介して圧着されることを特徴とする、防食コア。
【請求項９】
請求項８記載の防食コアにおいて、前記内側コアの上側筒部上端には外方フランジが形成され、前記内側コアが前記外側コア内へ所定の位置まで押込まれると、前記内側コアの外方フランジは前記芯金のフランジの上端に直接或いは前記被覆体を介して当接し、前記内側コアのそれ以上の押込みを制限することを特徴とする、防食コア。
【請求項１０】
請求項１乃至９のいずれか１に記載の防食コアにおいて、前記内側コアと外側コアとには、前記内側コアの前記下側筒部を前記外側コア内に挿入した仮組み状態に維持するための係止部が設けられていることを特徴とする、防食コア。
【請求項１１】
請求項１乃至１０のいずれか１に記載の防食コアにおいて、前記外側コアの前記芯金にはその下端から上方へ向かって伸びるスリットが設けられていることを特徴とする、防食コア。
【発明の詳細な説明】
【技術分野】
【０００１】
本発明は、水道の配管に使用する防食コアに関し、さらに詳細に言えば、水道の配水管（本管）に明けた分岐用の穴の部分での配水管の腐食を防止するために取付けられる防食用コアに関する。
【背景技術】
【０００２】
配水管から分岐管への分岐を行うには分水栓を取付けて、その状態で分水栓に工具を挿入して配水管に分岐用の穴を明ける。そしてこの穴の部分での腐食を防止するために防食用のコアを穴に密着した状態で取付ける。
【０００３】
このような防食コアとして、例えば特開２００６−４６５６４号に内外2体からなる防食コアが開示されている。すなわちこのコアは、ゴムなどの弾性スリーブの内側に滑り特性が良く、且つ伸び特性が大きい樹脂筒層を備えたスリーブ本体と、例えばステンレス製の剛性のあるスリーブとで構成され、スリーブ本体の開口部から剛性材スリーブを挿入して樹脂筒層を拡径して弾性スリーブを穿孔穴の周壁面に密着させてシールすると共に、樹脂スリーブの鍔部を拡径して、鍔部外周上に配置したOリングを用いて分水栓の通水口内壁面との間をシールするようになっている。
【０００４】
他の防食コアの場合と同様にこの防食コアを取付けるには取付け用の工具を使用する。取付けに際しては先ず防食コアを取付け工具の先端側に装着する。そしてその状態で分水栓内に工具ごと挿入してスリーブ本体の鍔部を配水管の穴の周囲に着座させ、さらに工具を押込むことにより剛性材スリーブをスリーブ本体内へ押込み、スリーブ本体を拡径するようになっている。
【０００５】
【特許文献１】特開２００６−４６５６４号公報
【発明の開示】
【発明が解決しようとする課題】
【０００６】
ところで、配水管に穿孔する際には穿孔用の工具を分岐栓の孔に挿入して行うが、工具の振れなどに起因して穿孔穴と分水栓の孔との間に芯ズレが生じる場合がある。この芯ズレがある場合に取付け工具に装着して防食コアを挿入すると、芯ズレの程度によっては防食コアの下端部が穿孔穴に入らずに穴の縁部に部分的に引っ掛ってしまうことがある。そしてそのまま工具を押下げると、上記の防食コアではコア本体の樹脂筒層は文字通り樹脂で作られているために剛性に乏しいので、引っ掛かった部分では剛性コアによって下向きに押されても下端部が穴の縁部に引っ掛ったままで外れず、その部分でめくられたような状態となり、剛性コアのみが押込まれてしまう。このめくられた部分においては穴とコアとの間には隙間が生じており、そのまま気づかずに取付け完了としてしまうと、ここに水が入って錆が生じてしまう。また、めくれた部分が大きいと、コア自体が水圧によって穴から吹き飛ばされてしまう。
【０００７】
本願発明は上記問題点に鑑みなされたものであり、穿孔穴と分岐栓の孔との間に芯ズレが生じていて挿入したコアの下端部が穿孔穴の縁部に引っ掛かっても、確実に穿孔穴内へ押込んで取り付けることのできる防食コアを提供することをその課題とする。
また本願発明は、挿入した際にその下端部が穿孔穴の縁部に引っ掛かりにくい構成を備えた防食コアを提供することもその課題とする。
さらに本発明は、コアを取付ける際の工具の押込み量を少なくして、取付け作業の能率向上を図れる防食コアを提供することもその課題とする。
【課題を解決するための手段】
【０００８】
上記課題を解決するために、本願発明に係る防食コアは以下のように構成した。すなわち、分水栓が取付けられた配水管に穿孔された穴に取付けられる防食コアにおいて、円筒状の上側筒部と、該上側筒部より径の小さい円筒状の下側筒部とを備えた金属製の内側コアと、円筒状の筒部と、該筒部上端に形成された外方フランジとを備えた金属製の芯金と、該芯金の筒部外周を被覆する被覆部と、該被覆部の上方に筒状に形成される上側シール部とを備えたゴム等弾性材料製の被覆体とを備えた外側コアとを含んで構成する。そして、内側コアは芯金の筒部より剛性が大きく、内側コアを外側コア内へ押込むことにより、内側コアの上側筒部と下側筒部によりそれぞれ被覆体の上側シール部と芯金の筒部を拡径し、上側シール部を分水栓の通水路内壁へ、筒部及び被覆部を穿孔穴の内壁へ圧着させるようにした。
ある実施の形態では、芯金の筒部は、下方に向けて漸次縮径するテーパ部を備えている。
他の実施の形態では、内側コアの下側筒部を外側コアに挿入して組み付けたとき、下側筒部の下端が芯金のテーパ部の途中の位置に当たる寸法に形成されている。
他の実施の形態では、体には被覆体には、その被覆部の下端から、芯金の下端を越えて下方へ、且つ芯金の内径より内側へと伸びる傾斜部がさらに設けられている。
他の実施の形態では、内側コアは、上側筒部と下側筒部との間に両者をつなぐテーパ部又は肩部が形成され、内側コアが外側コア内へ所定の長さだけ押込まれたときに、内側コアのテーパ部又は肩部が芯金のフランジに当接し、内側コアのそれ以上の押込みを制限するようになっている。
他の実施の形態では、内側コアの上側筒部の上端に外方フランジを備え、内側コアが外側コアに所定の位置まで押込まれると、フランジが被覆体の前記上側シール部の上端に当接するようにしてある。
他の実施の形態では、芯金のフランジは高さ方向において所定の長さを備えて形成され、該フランジは、内側コアの下側筒部が外側コアに挿入取付けされるときのガイドとなるように形成する。
他の実施の形態では、芯金のフランジは、高さ方向において被覆体の上側シール部の内側まで延びており、内側コアが外側コアに押込まれたときに、上側筒部によって拡径され、分岐栓の通水路内壁へ上側シール部を介して圧着されるようになっている。
他の実施の形態では、内側コアの上側筒部上端には外方フランジが形成され、内側コアが外側コア内へ所定の位置まで押込まれると、内側コアの外方フランジは芯金のフランジの上端に直接或いは被覆体を介して当接し、内側コアのそれ以上の押込みを制限するようになっている。
他の実施の形態では、内側コアと外側コアとには、内側コアの下側筒部を外側コア内に挿入した仮組み状態に維持するための係止部が設けられている。
さらに他の実施形態では、外側コアの芯金にはその下端から上方へ向かって伸びるスリットが設けられている。なお、「下端から上方へ向かって伸びる」とは、下端から垂直方向へ伸びる場合のほか、上方へ傾斜して伸びる場合も含む。また、下端から所定の範囲に渡って伸びる場合のほか、下端から上端まで伸びるものも含む。
【発明の効果】
【０００９】
本願発明では、外側コアの芯金をステンレス或いは銅などの金属製としたので、穿孔穴と分水栓の穴とに芯ズレがあり、コアを挿入する際に外側コアの下端が部分的に穿孔穴の縁に引っ掛かっても、その後の押込み操作時に作用する下方へ押す力によって、その引っ掛かった部分が弾性変形して穿孔穴内へ押込まれ、確実にコアを取り付けることができる。
芯金の筒部に下方に向けて漸次縮径するテーパ部を設けることにより、芯ズレがあっても外側筒部の下端部が穿孔穴に引っ掛かりにくくなり、取付けがより確実に行える。
内側コアの下側筒部を外側コアに挿入して組み付けたとき、下側筒部の下端が芯金のテーパ部の途中の位置に当たる寸法に形成することにより、仮組みの場合の調心が行え、さらに取付け作業時の工具の押込み量を少なくすることができ、作業能率の向上を図れる。
被覆体に、その被覆部の下端から、芯金の下端を越えて下方へ、且つ芯金の内径より内側へと伸びる傾斜部をさらに設けることにより、この傾斜部を利用して仮組みした内外コアを取付け工具に取付けることができ、工具への装着が簡単に行える。
内側コアに上側筒部と下側筒部との間に両者をつなぐテーパ部又は肩部を形成し、内側コアが外側コア内へ所定の長さだけ押込まれたときに、内側コアのテーパ部又は肩部が芯金のフランジに当接するようにすると、内側コアのそれ以上の押込みを制限でき、これにより過度の押込みによる弊害を防止できる。
内側コアの上側筒部の上端に外方フランジを備え、内側コアが外側コアに所定の位置まで押込まれると、フランジが被覆体の上側シール部の上端に当接するように構成することにより、上側シール部の材料の逃げを防ぎ、シールの性能を向上できる。
芯金のフランジを高さ方向において所定の長さを備えて形成し、この部分に内側コアの下側筒部が外側コアに挿入取付けされるときのガイド機能を付与することにより、コアの仮組みの際の調心がより確実に行える。
芯金のフランジを高さ方向において被覆体の上側シール部の内側まで延ばし、内側コアが外側コアに押込まれたときに、上側筒部によって拡径され、分岐栓の通水路内壁へ上側シール部を介して圧着されるようにすることにより、通水部のシールがより確実になり、また、外力による分水栓の配水管に対する位置ズレを防止することができる。
内側コアの上側筒部上端に外方フランジを形成し、内側コアが外側コア内へ所定の位置まで押込まれると、内側コアの外方フランジは芯金のフランジの上端に直接或いは被覆体を介して当接するようにすると、内側コアの過剰な押込みをより確実に防止することができる。
内側コアと外側コアとに、内側コアの下側筒部を外側コア内に挿入した仮組み状態に維持するための係止部を設けることにより、仮組み及び工具への装着が容易となる。
外側コアの芯金にその下端から上方へ向かって伸びるスリットを設けることにより、小さな押込力で拡径することが可能となる。
【発明を実施するための最良の形態】
【００１０】
以下、図面を参照して本発明の実施の形態について説明する。図１は本発明の第１の実施の形態に係る防食コア１を構成する内側コア３と外側コア１３とを上下に配置し、それぞれ断面図で図示した図である。内側コア３は、例えばステンレス等の金属で製造され、後述する外側コア１３に比して充分大きな剛性を有する。図示のとおり内側コア３は大略円筒形をしており、径の大きい上側筒部５と、テーパ部９を介して上側筒部5につながる径の小さい下側筒部7とを備え、上側筒部５の上端には径方向外側に広がるフランジ１１が形成されている。
【００１１】
符号13は外側コアで、金属製の芯金１５とそれを被覆するゴムなどの圧縮可能な弾性材料で作られた被覆体２３とで構成されている。芯金１５は大略円筒形をしており、上から下に向かって漸次径が小さくなるテーパ部１７と、その下端から下方へ所望の長さで形成される径が変化しない真直部１９とを備え、テーパ部１７の上端には径方向外側へ広がるフランジ２１が形成されている。芯金１５は内側コア３の少なくとも下側筒部７に比して剛性が小さく、後述するように内側コア３が芯金１５内へ押込まれると下側筒部7によって拡径され、その際に下側筒部７をほとんど縮径させることのない大きさの剛性となっている。素材としてはステンレスを使用しても良いが、これに限定されるものではなく、例えば銅を使用することも可能である。
【００１２】
被覆体２３は、芯金１５の外周上を被覆する被覆部２５と、芯金１５のフランジ２１の上側に円筒状に伸びている筒状の上側シール部２７とを備えている。上側シール部２７の内径はフランジ２１の内径とほぼ等しく、その外径はフランジ２１の外形より若干大きく、フランジ２１の外側まで被覆する被覆部２５と繋がっている。そしてその上端部内周側にはテーパ面２８が形成されている。また、被覆部２５の下端部から短い長さで形成された径方向内方へ傾斜する傾斜部２９が形成されている。傾斜部２９の下端は、芯金１５の真直部１９の下端を越えて下方へ、そして径方向内方へ伸びている。すなわち、傾斜部29下端の内径は真直部１９の内径より小さい。本実施の形態では被覆体２５は芯金１５とインサートモールドなどによって一体化されているが、一体化することは必須ではない。
【００１３】
図2は内側コア３と外側コア１３とを仮組みした状態を示す断面図であり、上側には該防食コア１を取付ける際に使用する挿入工具４１の下部を図示してある。図示のとおり、内側コア３の下側筒部７の下端が外側コア１３の芯金１５のテーパ部１７内へ少し入り込んだ状態でテーパ部１７内面に当たっている。すなわち、下側筒部７の外径はテーパ部17上端における内径よりは若干小さくなっているが、当接位置より下の部分の内径よりは大きくなっている。このように内側コア３の下端がテーパ部１７内面上に載ることにより内側コア3の外側コア13に対する調心が行われ、内側コア３が外側コア１３に対して傾いて乗ることが防止される。この状態で内側コア３のテーパ部９の外周面が被覆体２３の上側シール部２７のテーパ面２８にほぼ当たる状態になっている。また本実施の形態では、被覆体２３の上側シール部２７の内径は内側コア３の下側筒部７の外径より僅かに大きく、上側シール部２７は内側コア３を挿入する際に案内をする機能を果たす。
【００１４】
図3は図2の状態の仮組みしたコア1を挿入工具４１に装着した状態を示す図である。挿入工具４１は従来からこの種の防食コアを取付ける際に使用されている工具と大略において同じ構成となっており、下側から相対的に径の小さい小径部４２、比較的に緩やかに形成された第1テーパ部４４を介して小径部４２につながる小径部４２より径の大きい中径部４５、さらに傾斜の急な第2テーパ部４６を介して中径部４５に繋がる中径部４５より径の大きな大径部４７とを備えている。
【００１５】
工具４１に装着するには、図２に矢印で示すように仮組みしたコア１を工具４１の下側から取付け、工具４１の第１テーパ部４４に外側コア１３の芯金１５のテーパ部１７が当たるようにする。この状態で被覆体２３下端の傾斜部２９が小径部４２によって押し広げられ、小径部４２に抱きついた状態となってコア１が工具から外れないようになっている。なお、工具の小径部４２と中径部４５とは、それぞれ外側コア１３の芯金１５の真直部１９と内側コア３の下側筒部７に僅かな隙間をもって嵌っている。
【００１６】
以下、図４乃至８を参照して、工具４１によりコア１を配水管５１に取付ける操作について説明する。図４は防食コア１の挿入初期状態の図で、図５はその部分拡大図である。図において符号５１は水道の配水管であり、符号５２はその内周面に施されたライナーである。配水管５１にはボールケース５４とボール押え５５とで構成されるサドル型分水栓５３がサドル本体６０及びバンド（図示せず）を用いて取付けられ、分水栓５３内部には内部に流路を備えたボール５６がボールシート５７、５８により受けられて回転可能に収受され、スピンドル５９を介して外部から回転させるようになっている。これらの構成については公知であるのでこれ以上の詳細な説明は省略する。図４は、工具４１に仮組み状態で取付けられた防食コア１が分水栓５３内へ挿入され、防食コア１の外側コア１３の芯金１５のフランジ２１が、配水管５１に穿孔作業によって明けられた穴５１aの縁部に載った状態を示している。これにより、外側コア１３はこれ以上下向きに移動するのを阻止される。
【００１７】
図６は図４、５の状態から工具４１が少し下向きに押込まれた状態であり、工具４１の第２テーパ部４６が内側コア３のフランジ１１に当たることにより、内側コア３が外側コア１３内へ押込まれ、工具４１の第１テーパ部４４によって外側コア１３の真直部１９が拡径されると共に、入り込んでくる内側コア３によって外側コア１３のテーパ部１７が拡径さえる。また、被覆体２３の上側シール部２７の上側部分も内側コア３の上側筒部５によって拡径される。
【００１８】
さらに工具４１が押込まれて図７の状態になると、内側コア３が外側コア１３内へ完全に押込まれ、内側コア３のテーパ部９が外側コア１３の芯金１５のフランジ２１にあたり、抵抗が極度に大きくなり、これにより内側コア３が所定の位置まで押込まれたことが検知され、押込み動作は停止される。この状態で外側コア１３の芯金１５のテーパ部１７及び真直部１９は所定の寸法だけ内側コアの下側筒部７により拡径され、被覆体２３の被覆部２５を配水管５１の穴５１aとの間で圧縮し、この部分を止水する。また、被覆体２３の上側シール部２７は、内側コア３の上側筒部５によって分水栓５３の通路５３aの壁面との間で圧縮され、この部分を止水する。なお、この状態で内側コア３のフランジ１１が上側シール部２７の上端に当接し、被覆体２３の材料の逃げ出しを防止してシール効果を高めている。
【００１９】
次に図８は、防食コア１の取付けが完了し、工具４１が引き抜かれた状態を示している。前述のように内側コア３の剛性は外側コア１３の芯金１５の剛性より充分に大きく、芯金１５を拡径する際に内側コア３が縮径されることはない。そして工具４１の外径と内側コア３との間には僅かながらの隙間があるので、拡径作業中に内側コア３が工具にきつく抱きつくことはなく、工具４１は簡単に引き抜くことができる。
【００２０】
上述のように、コア１の外側コア１３の芯金１５はその下側の径が小さくなるようにテーパ部１７が形成されているので、仮に分水栓５３の通路と配水管の穿孔穴５１aとの間に少しの芯ズレが生じていても、穴５１aへの挿入（図４、５）を行う際に容易に挿入することができる。また、仮に芯ズレによって外側コア１３の下端部が部分的に穴５１aの縁部に引っ掛かったとしても、外側コア１３の芯金１５は金属性で剛性があるので、その後に内側コア３によって外側コア１３が下向きに押される過程において従来例のプラスチック製のものとは異なり、捲られてしまうことはなく、他の部分が穴５１aの中へ押込まれるにつれて弾性変形をして穴５１a内へ押込まれ、コア１は正常に穴５１aに取付けられる。
【００２１】
また、前述のように初期状態において内側コア３の下端部が芯金１５のテーパ部１７に乗る形になっているので、芯金の筒部を上下に同一径で形成する場合に比して、内側コアを外側コアに対して相対的に下側の位置に位置させることができる。従って、拡径するために内側コアを下降させる距離、換言すれば挿入工具を下降させる距離がその分だけ短くなり、作業時間の短縮が可能となり、作業能率が向上する。
【００２２】
なお、配水管５１に明ける穴５１aは同じ径の穿孔工具を用いてもその寸法には誤差が生じ、通常プラスマイナス0.２mm位の誤差が生じているのが実情である。従って取付けられたコア１は、最大径で形成された穴に取付けられた場合においても十分に被覆体２５を圧縮してシールすることができなければならない。このような寸法を見越して内側コア３の外径寸法を決めると、寸法が小さめになった穴に取付ける場合には、拡径する際の配水管側からの反力が大きくなり、コアの剛性が小さいとコア側が縮径され或いは変形され、被覆体を充分に圧縮できずシール不良を起こしたり、場合によってコアが工具に抱きついてしまい、工具の引抜が困難になったり、コアの穴への密着力不足によってコアが工具と共に一緒に引き抜かれてしまう可能性がある。しかし本発明では穴への取り付け部分では金属製の内側コアと外側コアの芯金とが二重構造になってきわめて大きな剛性を備えることになるので、小さめに形成された穴の場合でも充分に被覆体を圧縮することができ、シール不良あるいはコアの取付け不良を起こすことはない。
【００２３】
上述した実施形態では、内側コア３と外側コア１３との仮組みは、内側コア３の下側筒部７を外側コア内に挿入するだけである。この場合、例えば工具への装着時に取扱い方によってはこの仮組み状態が外れてしまう可能性がある。より確実にこの仮組み状態を維持するには、例えばＣリングを外側コア１３の被覆体２３の上側シール部２７内周側にインサートモールドし、内側コア３の下側筒部７の対応する部分にリングを収受する溝を形成する構成を採用することができる。
【００２４】
図９は第２の実施形態に係る防食コア６１を示す断面図であり、（イ）は内側コアの押込み前、（ロ）は押込み完了後を示すそれぞれ断面図である。この実施の形態に係るコア６１は大略前述の第１の実施の形態のコア１と構成が同じであるが、外側コアの芯金のフランジの上下の丈が第１の実施形態に比して大きくなっており、それに伴って他の部分の寸法に違いが生じている。
【００２５】
すなわち、内側コア６２は第１の実施形態の内側コア３と同じようにステンレス等金属製で、径の大きい上側筒部６３と、径の小さい下側筒部６４と、両者をつなぐテーパ部６５と、上端に形成されたフランジ６６とを備えている。そして、後述する外側コアの芯金のフランジの寸法との関係で、第１の実施形態のコア１よりも、上側筒部６３の長さが短くなり、下側筒部６４の長さが長くなっている。
【００２６】
外側コア７１はやはり第１実施形態と同じように、テーパ部７３、真直部７４、フランジ７５を備えたステンレス或いは銅など金属製の芯金７２と、被覆部７７、上側シール部７８、傾斜部７９を備えた被覆体７６とで構成されている。そしてフランジ７５の上下方向の丈の長さが第１の実施形態に比して長くなっている。このフランジ７５は、仮組みの段階で挿入される内側コアを芯ズレが起きないようにガイドする機能を果たすと共に、仮組み後に内側コアが傾いたりするのを防止し、仮組み後に後発的に芯ズレの生じるのも防止する。なお、このフランジ７５の形状は、フランジというより筒部と称したほうがふさわしい形状となっているが、第１の実施の形態でのフランジ２１と同様に、配水管５１の穴５１aの縁部に載る部分となるので、本明細書ではフランジと称する。
【００２７】
仮組みの状態で内側コア６２の下側筒部６４の下端は芯金７２のテーパ部７３の途中に載っており、その状態から第１の実施形態のコア１と同様に、挿入工具によって内側コア６３が外側コア７６内へ押込まれる。押込み操作は図（ロ）に示すように内側コア６２のテーパ部６５が外側コア７１の芯金７２のフランジ７５の上端に当たると押込みに対する抵抗が大きくなり、その位置で押込みが完了したことが感知され、終了とされる。なお、図示の通りフランジ７５は第１の実施形態でのフランジ２１より丈が長くされていると同時に、肉厚もテーパ部７３などと比して厚くなっており、大きな剛性を備えている。これにより、内側コア６２の挿入時に大きな押込力が作用してもフランジ７５が変形してしまうことがない。
【００２８】
上述した実施形態でも、内側コア６２と外側コア７６との仮組みは、内側コア６２の下側筒部６４を外側コア７６に挿入するだけである。従って取り扱い中に内側コア６２だけを持ったりすると両者が上下に外れてしまう可能性があるが、これは、例えば図１０、１１に示すような構成を採用することにより防止することができる。図９の構成は第１実施形態に関連して図示せずに説明したものと基本的構成は同じであり、Ｃリング７８aを外側コア７１の被覆体７６の上側シール部７８内周側にインサートモールドし、内側コア６２の下側筒部６４の外周上対応する部分にリング７８aを収受する溝６４aを形成するものである。また図１１に示す構成は、外側コア７１の芯金７２のフランジ７５上端の内周側に突起或いは突条７５aを形成し、内側コア６２の下側筒部６４の外周上の対応する位置に溝を形成したものである。なお、突起或いは突条と溝とは逆の構成にしても良い。
【００２９】
図１２は第３の実施の形態に係る防食コア８１を示す断面図であり、（イ）は内側コアの押込み前、（ロ）は押込み完了後を示すそれぞれ断面図である。この実施の形態に係るコア８１も基本的構成は大略前述の第１及び第２の実施の形態のコア１、６１と同じであるが、外側コアの芯金のフランジの上下の丈が第２の実施形態よりさらに長くなっている。
【００３０】
すなわち、内側コア８２はステンレス等金属製で、径の大きい上側筒部８３と、径の小さい下側筒部８４と、両者をつなぐテーパ部８５と、上端に形成されたフランジ８６とを備えており、その構成は第２の実施形態の内側コア６２とほぼ同じである。
【００３１】
外側コア９１は、やはりテーパ部９３、真直部９４、フランジ９５を備えたステンレス、銅など金属製の芯金９２と、被覆部９７、上側シール部９８、傾斜部９９を備えた被覆体９６とで構成されている。そして前述の如くフランジ９５の上下方向の丈の長さが第２の実施形態に比してさらに長くなっており、被覆体９６の被覆部９７はその長くなったフランジ９５の外周をも被覆し、上側シール部９８は、その丈の長さが第２の実施形態の場合よりもさらに短くなっている。なお、フランジ９５の内周側も若干テーパ上に形成されており、被覆体９６がその内周上端側を所望の範囲で被覆している。この内周側の被覆体の部分とフランジ９５とは、仮組みの段階で挿入される内側コアを芯ズレが起きないようにガイドする機能を果たすと共に、仮組み後に内側コアが傾いたりするのを防止し、仮組み後に後発的に芯ズレの生じるのも防止する。
【００３２】
芯金のテーパ部９３のテーパは前述のフランジ９５の内周側のテーパより若干大きくなっており、仮組みの状態で内側コア８２の下側筒部８４の下端はそのテーパ部９３の途中に載っており、その状態から第１の実施形態のコア１と同様に、挿入工具によって内側コア８３が外側コア９１内へ押込まれる。押込み操作は図１２（ロ）に示すように内側コア８２のフランジ８６が外側コア９１の芯金９２のフランジ９５の上端に被覆体９７の上側筒部９８を圧縮した状態で当たると押込みに対する抵抗が大きくなり、その位置で押込みが完了したことが感知され、終了される。この場合、内側コア８２の下側筒部８４によって外側コア９１の芯金９２のテーパ部９３、真直部９４を拡径して配水管の穴の内壁へ圧着すると共に、上側筒部８３によって上側シール部９８と共に芯金９２のフランジ９５の上側部分をも拡径して、分水栓の通路内壁に圧着することとなる。従って配水管の穴及び分水栓の通路に対応する部分では高さ方向全長に渡って金属製パイプの二重構造となり、きわめて強固になり、分水栓の配水管に対する位置ズレを防止するのにきわめて有効である。また、内側コアのフランジ８６が芯金９２のフランジ９５上端に乗る形となるので、この場合の抵抗力はきわめて大きくなり、誤って内側コアを押込みすぎることが完全に防止される。
【００３３】
図１３は第４の実施形態に係る防食コアの外側コアの芯金１０１を示しており、（イ）は芯金１０１の平面図、（ロ）は断面図である。なお、本実施形態における防食コアの基本的な構成は第１乃至３の実施形態と同様である。すなわち、防食コアは外側コアとそれより十分大きな剛性を有する内側コアから構成され、外側コアは金属製の芯金とそれを被覆する被覆体とからなる。
【００３４】
本実施形態に係る防食コアにおける外側コアの芯金１０１の形状は基本的には第２の実施形態における芯金７２に似ているが、フランジ１０４の形状において相違する。すなわち、芯金１０１は第２の実施形態同様、テーパ部１０２、真直部１０３、フランジ１０４から構成されるが、フランジ１０４は、垂直に対してテーパ部１０２よりも大きな角度で斜め外方へ拡がる肩部１０５と、肩部１０５の上端部から上方へ直線状に伸びる上側筒部１０６とに分けられている。このフランジ１０４についても筒部と称した方がふさわしい形状であるが、第２の実施形態で説明したのと同様の趣旨で本明細書では「フランジ」と称する。この芯金１０１に、第２の実施形態のそれとほぼ同じ形状の被覆体が装着される。また、内側コアについても第２の実施形態でのそれとほぼ同じ形状のものを使用できる。
【００３５】
この芯金１０１には４本のスリット１０７が円周方向等間隔で設けられている。このスリット１０７は芯金１０１の下端から垂直方向に伸びており、テーパ部１０２の上端のわずか手前まで伸びている。
【００３６】
上記のようにこの芯金１０１はスリット１０７を備えているので、内側コアを挿入して外側コアを拡径する際、第２の実施形態より小さな押込力で外側コアを拡径することが可能となる。加えて、押込力が小さくて済むため、フランジ１０４に作用する力も小さいので、第２の実施形態よりフランジ１０４の肉厚を薄くすることが可能となり、具体的には本実施形態では肩部１０５及び上側筒部１０６はテーパ部１０２及び真直部１０３と同じ肉厚に形成されており、芯金１０１は全体として均一な肉厚で形成されている。なお、本実施形態においてはスリットを４本設けたが、この数に限定されない。また、スリットの長さもテーパ部１０２内に限定されない。
【００３７】
図１４は第５の実施形態に係る防食コアの外側コアの芯金１１１を示しており、（イ）は芯金１１１の平面図、（ロ）は断面図である。本実施形態における防食コアの基本的な構成は第１乃至３と同様である。
【００３８】
本実施の形態は基本的な構成において第４の実施形態と似ているが、スリット１０７の代わりに芯金１１１に１本の割り１１７が設けられている。この割り１１７は芯金１１１の下端から垂直方向に直線状に設けられている。この構成により、小さな押込力で外側コアを拡径することが可能となる。また、押込力が小さくて済むため、第４の実施形態同様フランジの肉厚を薄くすることが可能となる。
【００３９】
第６の実施形態に係る防食コアとして、外側コアの芯金の全体或いはテーパ部に焼鈍もしくは化学処理を施してもよい。同個所を軟化させることにより、小さな押込力で外側コアを拡径することが可能となる。
【図面の簡単な説明】
【００４０】
【図１】本発明の第１の実施の形態に係る防食スリーブを構成する内側スリーブと外側スリーブを示す断面図である。
【図２】仮組みした状態の防食コアと、挿入工具の一部を示す断面図である。
【図３】挿入工具に仮組みした防食コアを装着した状態を示す断面図である。
【図４】防食コアを挿入の初期状態を示す断面図である。
【図５】図４の部分拡大図である。
【図６】工具を途中まで押込んだ状態を示す断面図である。
【図７】工具を取付け完了位置まで押込んだ状態を示す断面図である。
【図８】工具を抜き取った状態を示す断面図である。
【図９】第２の実施の形態に係る防食コアを示す断面図であり、（イ）は挿入前、（ロ）は挿入後を示す。
【図１０】内側コアと外側コアとの仮止めのための構成を示す部分断面図である。
【図１１】内側コアと外側コアとの仮止めのための他の構成例を示す部分断面図である。
【図１２】第３の実施の形態に係る防食コアを示す断面図であり、（イ）は挿入前、（ロ）は挿入後を示す。
【図１３】第４の実施形態に係る防食コアの芯金を示しており、（イ）は芯金の平面図、（ロ）は断面図である。
【図１４】第５の実施形態に係る防食コアの芯金を示しており、（イ）は芯金の平面図、（ロ）は断面図である。
【符号の説明】
【００４１】
１：防食コア  ３：内側コア  ５：上側筒部  ７：下側筒部  ９：テーパ部  １１：フランジ  １３：外側コア  １５：芯金  １７：テーパ部  １９：真直部  ２１：フランジ  ２３：被覆体  ２５：被覆部  ２７：上側シール部  ２９：傾斜部  ４１：挿入工具  ４２：小径部  ４４：第１テーパ部  ４５：中径部  ４６：第２テーパ部  ４７：大径部
５１：配水管  ５１a穿孔穴  ５３：分水栓  ５３a：通水路
【図１】
2008144957.tif 000003
【図２】
2008144957.tif 000004
【図３】
2008144957.tif 000005
【図４】
2008144957.tif 000006
【図５】
2008144957.tif 000007
【図６】
2008144957.tif 000008
【図７】
2008144957.tif 000009
【図８】
2008144957.tif 000010
【図９】
2008144957.tif 000011
【図１０】
2008144957.tif 000012
【図１１】
2008144957.tif 000013
【図１２】
2008144957.tif 000014
【図１３】
2008144957.tif 000015
【図１４】
2008144957.tif 000016